(57)【特許請求の範囲】
【請求項１】
両者間に羽根室を構成しており各々が被写体光路用開口部を有していてそれらの一方又は両方で露光開口を規制している二つの地板と、通常の撮影姿勢では前記露光開口の左右いずれかとなる一方の領域で前記羽根室内において前記二つの地板のいずれか一方に枢着されている複数のアームと該複数のアームに枢支されていて前記撮影姿勢においては前記露光開口を上下方向へ開閉作動する少なくとも１枚の羽根とで構成されている少なくとも一つの開閉手段と、前記開閉手段のアームの一つに連結されていて前記一方の領域の前記羽根室外において前記二つの地板のいずれか一方に取り付けられており撮影時には駆動ばねの付勢力によって前記開閉手段を作動させる少なくとも一つの駆動手段と、前記駆動手段を前記駆動ばねによる作動開始位置に保持し撮影時においてその保持力を解除する少なくとも一つの保持手段と、前記一方の領域であって前記駆動手段よりも前記露光開口から離れた位置においてその回転軸の長さ方向が前記上下方向と略平行になるようにして前記二つの地板のいずれか一方に取り付けられている少なくとも一つのモータと、前記モータによって初期位置とセット位置との間を作動させられ初期位置からセット位置へ作動するときには前記駆動手段を前記駆動ばねの付勢力に抗して作動させ遅くとも前記駆動手段が撮影時に作動を開始する前までには初期位置へ復帰している少なくとも一つのセット手段と、を備えていることを特徴とするデジタルカメラ用フォーカルプレンシャッタ。
【請求項２】
前記保持手段が電磁石であって、前記駆動手段には、該電磁石に吸着される鉄片部材が取り付けられていることを特徴とする請求項１に記載のデジタルカメラ用フォーカルプレンシャッタ。
【請求項３】
前記開閉手段と、前記駆動手段と、前記保持手段とが各々二つ備えられていて、前記モータと、前記セット手段とが各々一つだけ備えられていることを特徴とする請求項１又は２に記載のデジタルカメラ用フォーカルプレンシャッタ。
【請求項４】
前記駆動手段が前記二つの地板の一方に取り付けられ、前記モータが前記二つの地板の他方に取り付けられていることを特徴とする請求項１乃至３の何れかに記載のデジタルカメラ用フォーカルプレンシャッタ。
【請求項５】
前記駆動手段と前記モータとが、前記二つの地板のうち同じ地板に取り付けられていることを特徴とする請求項１乃至３の何れかに記載のデジタルカメラ用フォーカルプレンシャッタ。
【請求項６】
前記モータの一部が、前記二つの地板のうち前記モータを取り付けていない方の地板に向け、その地板の羽根室側とは反対の面までの範囲で、張り出していることを特徴とする請求項５に記載のデジタルカメラ用フォーカルプレンシャッタ。
【請求項７】
カメラに組み込まれたとき、前記駆動手段と前記モータとが、カメラボデイのグリップ部により形成された空間の近傍若しくは該空間内に位置するようにして配置されていることを特徴とする請求項１乃至６の何れかに記載のデジタルカメラ用フォーカルプレンシャッタ。
【発明の詳細な説明】
【０００１】
【発明の属する技術分野】
本発明は、デジタルカメラ用のフォーカルプレンシャッタに関する。
【０００２】
【従来の技術】
デジタルカメラに採用されるフォーカルプレンシャッタには、フィルムを用いるカメラに採用されているフォーカルプレンシャッタと同様に、先羽根と後羽根と称される二つのシャッタ羽根を備えていて、撮影に際しては、それらを所定のタイミングで順に作動させ、それらによって形成されるスリットによって、撮像面の一方から他方に向けて、連続的に露光していくようにしたものが知られている。また、シャッタ羽根を一つしか備えておらず、常態では、撮像面を開放しており、撮影中もそのままであって、撮影の終了段階で作動し、撮像面を覆うようにしたものもある。
【０００３】
そして、それらのようないずれのタイプのフォーカルプレンシャッタであっても、一つのシャッタ羽根は、一端をシャッタ地板に枢着された複数のアームと、それらに枢支された１枚以上の羽根で構成されていることが多い。そして、二つのシャッタ羽根を備えたシャッタ、即ち先羽根と後羽根とを備えたシャッタの場合には、二つの地板の間を中間板で仕切ることによって、夫々の羽根室を構成しているのが普通であるが、例えば特開平１１−３２６９９２号公報に記載されているような構成にしたときには、中間板で仕切らなくて済むようにすることも可能である。
【０００４】
また、特にフォーカルプレンシャッタの場合には、撮影時においては、シャッタ羽根を高速で作動させることが要求されるため、その場合の駆動源としては、ばねを用いているのが普通となっているが、逆に、そのばねの付勢力に抗して撮影前の状態に復帰させるときには、駆動源としてモータを用いるのが普通となっている。そして、シャッタ羽根による露光開口に対する開閉は、カメラを左右から手で保持して構える通常の撮影姿勢において、上下方向に作動して行うようにしたものが殆どである。本発明は、それらのような構成をした従来のデジタルカメラ用フォーカルプレンシャッタを前提としている。
【０００５】
他方、上記のようなフォーカルプレンシャッタを採用した従来のデジタルカメラは、当初は、フィルムを使用するカメラの外観デザインを、そのまま踏襲したものが多かった。しかし、近年、ＣＣＤの低価格化と高画質化が進み、また、デジタルカメラの販売台数がフィルムを使用するカメラを上回るようになってきたことから、デジタルカメラ独自の外観デザインが種々開発され、また、それに伴い内部構成も独自のコンパクト化や小型化を要求されるようになってきた。そのような観点からの小型化についての技術が、特開平１１−２６１８６３号公報や特開平１１−２１８８３８号公報に開示されている。
【０００６】
即ち、特開平１１−２６１８６３号公報に記載のものは、画像表示回路基板１９，仕切板２０，第１記録圧縮回路基板２１，第１撮像回路基板１６で筐体の内部空間を仕切って、ミドルスペース２３Ａ，第１サイドスペース２３Ｂ，第２サイドスペース２３Ｃに分割し、各スペース毎に、機能，放熱の面で効率よく各電器部品を配置するようにしている。また、グリップ部５内には、記録圧縮回路系部品が配置されるようになっている。そして、この構成によって、特に撮像素子８に対する空気対流による温度上昇を防ぐことが可能であるとともに、筐体２の小型化を可能にしている。
【０００７】
また、それに伴って、カメラの構成部品であるシャッタについても、小型化が要求されているが、特開平１１−２１８８３８号公報には、その一例が記載されている。それによれば、撮像ユニット７３は、撮影レンズ４５側の一端を撮像ユニット側フレーム６３の第２の開口部６３ａ内に突出して配置されている。また、シャッター羽根６７ａが撮影レンズ４５側に配置されているため、シャッタ幕６５が閉じる際の衝撃によってシャッター羽根６７ａ〜６７ｅが撓むが、撮像ユニット７３に接触しないようになっている。そのため、撮影レンズの光路方向の長さを小さくすることができ、カメラの小型化が可能になっている。
【０００８】
このように、特開平１１−２６１８６３号公報に記載の構成では、各電気回路部品等の配置を変えることによって、筐体寸法を小さくできるようにしている。しかし、そのようにした場合であっても、その公報の図１及び図２に示されている太い点線で囲われているスペースは、未だ小型化の余地が残されている。そして、シャッタユニットは、そのスペースに配置されるものの一つであるが、特開平１１−２１８８３８号公報に記載のシャッタであれば、そのスペースに配置することも可能ではないかと考えられる。以上、具体的に説明したように、これからのデジタルカメラ用フォーカルプレンシャッタについては、これまでとは異なる観点からの制約を受け、且つそれに対応してコンパクト化や小型化の要求に応じていかなければならないというのが実情である。
【０００９】
【発明が解決しようとする課題】
ところで、冒頭に説明したように、本発明で対象としているフォーカルプレンシャッタは、撮影時にシャッタ羽根を作動させる駆動源としては、ばねを用い、撮影前の状態に復帰させる駆動源としては、モータを用いたものである。ところが、従来は、そのモータがカメラ本体側に取り付けられていたため、シャッタユニットをカメラ本体に組み付けるとき、両者を歯車を介して連結させなければならず、そのような伝達機構の配置と連結構成のために、比較的大きなスペースとコストを必要としていた。ところが、デジタルカメラの場合には、フィルムを使用するカメラのように、絞り機構を設けていない場合があり、仮に設けていたとしても、上記のモータを共用にする必要のない場合がある。また、ミラーの駆動と共用にする必要がない場合もあるし、ミラー機構自体を備えていない場合もある。従って、そのように共用にする必要のない場合には、そのモータをシャッタユニットに取り付けることが最善となる。
【００１０】
ところが、高価であって特別な構成をしたモータを用いる場合は別であるが、通常のように、回転軸が長く且つコスト的にも有利なモータを用いる場合には、単にモータをシャッタユニットに取り付けたというだけでは、そのシャッタユニットをデジタルカメラの筐体内に好適に配置できるものとはならない。即ち、シャッタユニットとしては、出来るだけ種々のデジタルカメラに採用できるようにしておく必要があることから、ユニット自体のコンパクト化は勿論であるが、そのほかにも、主に、カメラの外観デザインを出来るだけ拘束しないような構成にしておくこと、大きな容積を必要とする電池等の電気部品の配置に支障を与えないような構成にしておくこと、ミラー機構を配置する場合に支障を与えないような構成にしておくことなどが挙げられる。そして、それらを総合的に判断した場合には、カメラの前後方向の寸法を出来るだけ小さくて済むように構成することが要求される。
【００１１】
本発明は、このような問題点を解決するためになされたものであり、その目的とするところは、撮影時においては、ばねによってシャッタ羽根を作動させ、セット時においては、該ばねの付勢力に抗してモータが作動させるシャッタであって、該モータをシャッタユニットに取り付けてもコンパクトな構成が得られ、比較的多くの種類のカメラに採用され得るようにしたデジタルカメラ用フォーカルプレンシャッタを提供することである。
【００１２】
【課題を解決するための手段】
上記の目的を達成するために、本発明のデジタルカメラ用フォーカルプレンシャッタは、両者間に羽根室を構成しており各々が被写体光路用開口部を有していてそれらの一方又は両方で露光開口を規制している二つの地板と、通常の撮影姿勢では前記露光開口の左右いずれかとなる一方の領域で前記羽根室内において前記二つの地板のいずれか一方に枢着されている複数のアームと該複数のアームに枢支されていて前記撮影姿勢においては前記露光開口を上下方向へ開閉作動する少なくとも１枚の羽根とで構成されている少なくとも一つの開閉手段と、前記開閉手段のアームの一つに連結されていて前記一方の領域の前記羽根室外において前記二つの地板のいずれか一方に取り付けられており撮影時には駆動ばねの付勢力によって前記開閉手段を作動させる少なくとも一つの駆動手段と、前記駆動手段を前記駆動ばねによる作動開始位置に保持し撮影時においてその保持力を解除する少なくとも一つの保持手段と、前記一方の領域であって前記駆動手段よりも前記露光開口から離れた位置においてその回転軸の長さ方向が前記上下方向と略平行になるようにして前記二つの地板のいずれか一方に取り付けられている少なくとも一つのモータと、前記モータによって初期位置とセット位置との間を作動させられ初期位置からセット位置へ作動するときには前記駆動手段を前記駆動ばねの付勢力に抗して作動させ遅くとも前記駆動手段が撮影時に作動を開始する前までには初期位置へ復帰している少なくとも一つのセット手段と、を備えているようにする。
【００１３】
また、本発明のデジタルカメラ用フォーカルプレンシャッタにおいては、前記保持手段が電磁石であって、前記駆動手段には、該電磁石に吸着される鉄片部材が取り付けられているようにすると、構成の簡単なダイレクトタイプのシャッタとすることができる。
【００１４】
また、本発明のデジタルカメラ用フォーカルプレンシャッタにおいては、前記開閉手段と、前記駆動手段と、前記保持手段とが各々二つ備えられていて、前記モータと、前記セット手段とが各々一つだけ備えられているようにすると、先羽根と後羽根によるスリットで露光する形式のシャッタが好適に得られる。
【００１５】
また、本発明のデジタルカメラ用フォーカルプレンシャッタにおいては、前記駆動手段が前記二つの地板の一方に取り付けられ、前記モータが前記二つの地板の他方に取り付けられているようにしてもよい。
【００１６】
また、本発明のデジタルカメラ用フォーカルプレンシャッタにおいては、前記駆動手段と前記モータとが、前記二つの地板のうち同じ地板に取り付けられているようにしても差し支えなく、その場合、前記モータの一部が、前記二つの地板のうち前記モータを取り付けていない方の地板に向け、その地板の羽根室側とは反対の面までの範囲で、張り出しているようにすると、カメラのコンパクト化にとって有利となる場合がある。
【００１７】
更に、本発明のデジタルカメラ用フォーカルプレンシャッタにおいては、カメラに組み込まれたとき、前記駆動手段と前記モータとが、カメラボデイのグリップ部により形成された空間の近傍若しくは該空間内に位置するようにして配置されるようにすると、カメラのデザインを損なうことがない。
【００１８】
【発明の実施の形態】
本発明の実施の形態を、図示した実施例によって説明する。尚、図１は、被写体側、即ち撮影レンズ側から視て左側の一部のみを示した実施例の平面図であって、電源オフ状態又は露光作動終了直後の状態を示したものであり、図２は図１の下方から視た底面図である。また、図３〜図５は、図１と同じようにして視た実施例の平面図であって、図３は図１の状態から後羽根のみがセットされモニター（電子ビューファインダ）での観察を可能にした状態を示したものであり、図４はレリーズによって図３の状態から先羽根がセット位置に作動し終わった状態を示したものであり、図５は図４の状態からセット部材が初期位置へ戻った状態、即ち露光作動開始直前の状態を示したものである。更に、図６は実施例の作動を理解し易くするように示したタイミングチャートであり、図７はカメラに組み込まれたとき底面側から視た配置の一例を示した説明図である。
【００１９】
本実施例は、本発明を、周知のダイレクトタイプのフォーカルプレンシャッタとして構成し、且つ、先羽根と後羽根とは、フィルムを使用するカメラ用のフォーカルプレンシャッタに多く見られるように、夫々、複数枚の羽根を用いたものとして構成している。そこで、先ず、本実施例の構成を、主に図１及び図２を用いて説明するが、便宜上、各構成部材の被写体側を表面側と称し、ＣＣＤ等の撮像素子側を背面側と称して説明することにする。
【００２０】
本実施例のシャッタ地板１は、その略中央部に、長方形を横長にした開口部１ａを形成している。しかし、図１はシャッタを被写体側から視て左側の一部だけを示したものであるから、その開口部１ａについても、左側の一部だけが示されている。また、図２に示すように、シャッタ地板１の背面側には、所定の間隔を空けて、中間板２と補助地板３が順に取り付けられ、シャッタ地板１と中間板２との間に先羽根の羽根室を形成し、中間板２と補助地板３との間に後羽根の羽根室を形成している。そして、中間板２と補助地板３にも、開口部１ａと類似の開口部が形成されていて、通常は、それらの三つの開口部を重ね合わせて、撮影画枠としての露光開口を規制するようにしているが、本実施例においては、開口部１ａの形状が露光開口を規制しているものとして説明する。
【００２１】
開口部１ａの左側には、円弧状の二つの長孔１ｂ，１ｃが形成されている。そして、それらの上端部には、周知のようにして、平面形状がＣ字状をしたブチルゴム製の緩衝部材４，５を取り付けている。また、シャッタ地板１には、その表面側に、適宜な手段によってプリント配線板６が取り付けられていて、その表面には、共通端子としての銅箔パターン６ａと、先セットスイッチ用の端子としての銅箔パターン６ｂと、後セットスイッチ用の端子としての銅箔パターン６ｃと、初期位置スイッチ用の銅箔パターン６ｄとが形成されている。
【００２２】
シャッタ地板１の表面側には、軸１ｄ，１ｅ，１ｆ，１ｇが立設されており、背面側には、軸１ｈ，１ｉ，１ｊ，１ｋが立設されているが、それらのうち、軸１ｄ，１ｈは同軸上に配置され、軸１ｅ，１ｉも同軸上に配置されている。そして、軸１ｄ，１ｅ，１ｆの先端には、図１においては外形を二点鎖線で示した支持板７が、シャッタ地板１と平行になるようにして取り付けられている。また、その支持板７には、シャッタ地板１側に、先羽根用電磁石と後羽根用電磁石が取り付けられているが、図１と図３〜図５においては、それらの鉄芯８，９のみを二点鎖線で示してある。更に、支持板７の表面側には、図２に示すようにプリント配線板１０が重ねて取り付けられていて、そこにフラッシュ用のスイッチ（Ｘ接点）が設けられているが、図１と図３〜図５には、それを構成する二つの接片部材１１，１２が示されている。
【００２３】
シャッタ地板１の軸１ｄには、合成樹脂製の先羽根用駆動部材１３が回転可能に取り付けられていて、図示していない周知の先羽根用駆動ばねによって反時計方向へ回転するように付勢されている。この先羽根用駆動部材１３は、被押動部１３ａ，駆動ピン１３ｂ，取付部１３ｃを有しており、その取付部１３ｃの表面側には、上記の接片部材１２を操作するための押動部１３ｄが設けられている。また、背面側に設けられた駆動ピン１３ｂの断面形状は、根元部が円形をし、先端部が小判型をしており、その根元部が上記の緩衝部材４に当接し得るようになっていて、先端部は長孔１ｂを貫通し、シャッタ地板１の背面側に突き出ている。また、取付部１３ｃには、周知のように、図示していないばねを介在させて鉄片部材１４が取り付けられており、上記した先羽根用電磁石の鉄芯８に吸着保持され得るようになっている。
【００２４】
シャッタ地板１の軸１ｅには、合成樹脂製の後羽根用駆動部材１５が回転可能に取り付けられていて、図２に示された後羽根用駆動ばね１６（上記の図示していない先羽根用駆動ばねも、このようにして配置されている）によって反時計方向へ回転するように付勢されている。また、この後羽根用駆動部材１５は、被押動部１５ａ，駆動ピン１５ｂ，取付部１５ｃを有している。そして、その駆動ピン１５ｂは、上記した駆動ピン１３ｂと同じ形状をしていて、根元部が上記の緩衝部材５に当接し得るようになっており、先端部は長孔１ｃを貫通し、シャッタ地板１の背面側に突き出ている。また、取付部１５ｃには、先羽根用駆動部材１３の場合と同様に、周知のようにして、ばねを介在させることによって鉄片部材１７が取り付けられており、上記した後羽根用電磁石の鉄芯９に吸着保持され得るようになっている。
【００２５】
シャッタ地板１の軸１ｆには、合成樹脂製のセット部材１８が回転可能に取り付けられている。このセット部材１８には、周辺部にカム形状を施した二つの押動部１８ａ，１８ｂが形成されており、背面側には歯車部１８ｃが形成されている。そのうち、二つの押動部１８ａ，１８ｂは、押動部１８ａの方が、押動部１８ｂよりもシャッタ地板１側に形成されていて、セット部材１８が回転したとき、先羽根用駆動部材１３や後羽根用駆動部材１５の取付部１５ｃなどに干渉せず、後羽根用駆動部材１５の背面側に設けられた被押動部１５ａを押せるようになっている。
【００２６】
シャッタ地板１の軸１ｇには、合成樹脂製の歯車１９が回転可能に取り付けられている。この歯車１９は、図１には明示されていないが、実際には２段歯車になっていて、支持板７側に形成されている歯がセット部材１８の歯車部１８ｃと噛合していて、シャッタ地板１側に形成されている歯は、はす歯である。また、この歯車１９の背面側には、二つの接片部材２０，２１を取り付けており、接片部材２０は、プリント配線板６の二つの銅箔パターン６ａ，６ｂを電気的に接続させ得るようになっていて、接片部材２１は、二つの銅箔パターン６ａ，６ｃ又は二つの銅箔パターン６ａ，６ｄを電気的に接続させ得るようになっている。そして、シャッタ地板１の折曲部１ｍには、モータ２２がビス２３，２４によって取り付けられており、その出力軸に取り付けられたウォーム２２ａが、歯車１９のはす歯に噛合している。
【００２７】
次に、シャッタ地板１の背面側に取り付けられている先羽根と後羽根の構成を説明する。尚、本実施例においては、先羽根も後羽根も、複数枚の羽根を有しているが、本発明は、各々１枚ずつであっても差し支えない。そこで、先ず、先羽根は、シャッタ地板１の軸１ｈ，１ｊに回転可能に取り付けられた二つのアーム２５，２６と、それらの長さ方向に順に枢支された５枚の羽根２７，２８，２９，３０，３１とで構成されていて、最先端に枢支された羽根３１がスリット形成羽根となっている。そして、この先羽根の一方のアーム２５には、図示していない周知の長孔が形成されており、そこに、上記した先羽根用駆動部材１３の駆動ピン１３ｂが嵌合している。
【００２８】
他方、後羽根は、構成が先羽根と全く同じであるが、先羽根を裏返した状態にして、中間板２と補助地板３の間に配置されている。そして、その後羽根は、シャッタ地板１の軸１ｉ，１ｋに回転可能に取り付けられた二つのアーム３２，３３と、それらの長さ方向に順に枢支された４枚の羽根３４，３５，３６，３７とで構成されていて、最先端に枢支された羽根３７がスリット形成羽根となっている。そして、アーム３２に形成された図示していない長孔には、後羽根用駆動部材１５の駆動ピン１５ｂが嵌合している。
【００２９】
次に、上記の構成の各作動状態を示した図３〜図５と、タイミングチャートを示した図６も用いて本実施例の作動を説明する。図１は、カメラを使用していない電源オフの状態と、露光作動終了直後の状態との両方に共通するものである。しかし、最初の段階においては、前者の状態にあるものとして説明する。また、本実施例のフォーカルプレンシャッタは、電子ビューファインダを採用したカメラに用いられる。そのため、撮影をするとき以外は、開口部１ａを全開状態としておく方が、電源をオンにしたときのことを考えると好ましいことになる。しかし、本実施例においては、電源がオフのときには、開口部１ａを、後羽根の４枚の羽根３４〜３７で覆い、撮像素子の光電変換性能の劣化を抑制できるようにしている。
【００３０】
このような図１の状態において、電源をオンにすると、接片部材２１が二つの銅箔パターン６ａ，６ｄに接触しているので、初期位置スイッチがオン状態となる。そして、そのオン状態になってから所定の時間後に、モータ２２が正方向へ回転し、歯車１９を時計方向へ回転させる。そのため、初期位置スイッチは直ちにオフ状態にさせられると共に、セット部材１８は、反時計方向へ回転され、その押動部１８ａが後羽根用駆動部材１５の被押動部１５ａに当接してからは、後羽根用駆動部材１５を後羽根用駆動ばね１６の付勢力に抗して時計方向へ回転させる。その結果、後羽根用駆動部材１５の駆動ピン１５ｂが後羽根のアーム３２を時計方向へ回転させるので、後羽根の４枚の羽根３４〜３７は、重畳されつつ下方へ作動され、スリット形成羽根３７のスリット形成縁によって開口部１ａを開いていく。
【００３１】
そして、開口部１ａが全開になった直後には、歯車１９の接片部材２１が二つの銅箔パターン６ａ,６ｃを短絡し、後セットスイッチをオン状態にする。図６においては、この時点を矢印Ａで示してある。また、このように、後セットスイッチがオン状態になると、その信号によってモータ２２の回転が停止し、セット部材１８の回転が停止される。その状態が図３に示されているが、セット部材１８にとっては、この停止位置は、セット作動の途中の位置であって、その押動部１８ｂは、未だ先羽根用駆動部材１３の被押動部１３ａを押し始めていない。
【００３２】
他方、後羽根用駆動部材１５は、この状態になる直前に、鉄片部材１７を後羽根用電磁石の鉄芯９に接触させていて、被押動部１５ａは、セット部材１８の押動部１８ａの周面と接触している。そして、前述した鉄片部材１７の周知の取付け構成によって、鉄芯９に対する鉄片部材１７の接触関係が良好に保たれている。また、このような図３の状態において、モニター（電子ビューファインダ）による被写体の観察が可能となる。尚、本実施例においては、上記のように電源をオン状態にしたとき、フラッシュ用スイッチ（接片部材１１，１２）がオン状態となっているが、このスイッチのオン・オフ状態は、後述する露光作動中にのみ認識されるようになっている。
【００３３】
撮影を行なう場合には、この図３の状態において、カメラのレリーズボタンを押すことになる。そうすると、その信号によってモータ２２が正方向への回転を再開し、セット部材１８を反時計方向へ回転させる。そのため、その押動部１８ｂが先羽根用駆動部材１３の被押動部１３ａを押し、先羽根用駆動部材１３を図示していない先羽根用駆動ばねの付勢力に抗して時計方向へ回転させる。その結果、先羽根用駆動部材１３の駆動ピン１３ｂが先羽根のアーム２５を時計方向へ回転させるので、先羽根の５枚の羽根２７〜３１は、展開されつつ下方へ作動され、スリット形成羽根３１のスリット形成縁によって開口部１ａを閉じていく。
【００３４】
また、その間、セット部材１８の押動部１８ａは、その周面が後羽根用駆動部材１５の被押動部１５ａに摺接するだけであって、後羽根用駆動部材１５を回転させないため、後羽根の４枚の羽根３４〜３７は、開口部１ａの下方位置に格納されたままとなっている。更に、先羽根用駆動部材１３が回転されていく過程において、押動部１３ｄが、接片部材１２の押圧を解いていくので、フラッシュ用スイッチを構成している二つの接片部材１１，１２がオフ状態にさせられる。
【００３５】
その後、開口部１ａが閉鎖されると、その直後に、歯車１９の接片部材２０が二つの銅箔パターン６ａ,６ｂを短絡し、先セットスイッチをオン状態にする。図６においては、この時点を矢印Ｂで示してある。そして、先セットスイッチがオン状態になると、その信号によってモータ２２が停止し、セット部材１８の回転が停止される。セット部材１８にとっては、その停止位置がセット位置であり、そのときの状態が図４に示されている。また、先羽根用駆動部材１３は、この状態になる直前に、鉄片部材１４を先羽根用電磁石の鉄芯８に接触させていて、この状態においては、被押動部１３ａを、セット部材１８の押動部１８ｂの周面に接触させている。従って、前述した後羽根用駆動部材１５の場合と同様に、周知の構成によって、鉄芯８に対する鉄片部材１４の接触関係が良好に保たれている。
【００３６】
他方、上記のようにして先セットスイッチがオン状態になると、その信号によって、先羽根用電磁石と後羽根用電磁石に通電され、鉄芯８，９が、接触状態となっていた鉄片部材１４，１７を吸着保持し、同時に、露光時間制御回路の作動も開始する。更に、先セットスイッチがオン状態になると、上記の鉄片部材１４，１７の吸着保持後に、矢印Ｃで示した時機からモータ２２を逆方向へ回転させる。そのため、セット部材１８は、図４の状態から時計方向へ回転し、途中で停止することなく初期位置へ復帰する。その復帰状態が図５に示されている。
【００３７】
このようにしてセット部材１８が初期位置へ復帰する過程において、最初に、押動部１８ｂが先羽根用駆動部材１３の被押動部１３ａから退き、次に、押動部１８ａが後羽根用駆動部材１５の被押動部１５ａから退いていくので、先セットスイッチと後セットスイッチとが順にオフ状態にさせられ、また、既に夫々の鉄片部材１４，１７が鉄芯８，９に吸着保持されているので、各駆動部材１３，１５は、図５の状態を維持される。そして、この状態が、各駆動部材１３，１５と先羽根及び後羽根にとっての露光作動開始位置であり、また、モータ２２の逆方向への回転の停止時機は、初期位置スイッチがオン状態になったときである。そして、そのとき、初期位置スイッチが図１の状態と同じになるが、フラッシュ用スイッチがオフ状態となっていることで、図１の状態とは異なることを識別できるようになっている。
【００３８】
セット部材１８が、このようにして初期位置へ復帰した後、上記の露光時間制御回路によって、先ず、先羽根用電磁石に対する通電が断たれる。そのため、鉄芯８による鉄片部材１４の吸着力は失われ、先羽根用駆動部材１３が、図示していない強力な先羽根用駆動ばねの付勢力によって反時計方向へ回転される。それによって、先羽根用駆動部材１３の駆動ピン１３ｂが、先羽根群のアーム２５を図５の状態から反時計方向へ回転させるので、先羽根の５枚の羽根２７〜３１は上方へ作動し、スリット形成羽根３１の下側の縁であるスリット形成縁によって、開口部１ａを開いていく。その後、スリット形成羽根３１のスリット形成縁が、開口部１ａを完全に全開にした段階になると、先羽根用駆動部材１３の押動部１３ｄが接片部材１２を接片部材１１に接触させ、フラッシュを発光させる。そして、その直後に、駆動ピン１３ｂが緩衝部材４に当接することによって、先羽根用駆動部材１３と先羽根の露光作動が終了する。
【００３９】
このようにして、フラッシュが発光した後、露光時間制御回路によって、後羽根用電磁石に対する通電が断たれる。そのため、鉄芯９による鉄片部材１７の吸着力が失われ、後羽根用駆動部材１５が、強力な後羽根用駆動ばね１６（図２）の付勢力によって反時計方向へ回転される。それによって、後羽根用駆動部材１５の駆動ピン１５ｂが、後羽根のアーム３２を反時計方向へ回転させるので、後羽根の４枚の羽根３４〜３７は上方へ作動し、スリット形成羽根３７の上側の縁であるスリット形成縁によって、開口部１ａを閉じていく。そして、４枚の羽根３４〜３７が展開状態となって開口部１ａを完全に閉じると、駆動ピン１５ｂが緩衝部材５に当接することによって、後羽根用駆動部材１５と後羽根の露光作動が終了する。
【００４０】
しかしながら、上記のような露光作動の説明は、フラッシュ撮影を行う場合である。周知のように、フラッシュ撮影を行なわないときには、殆どの場合、先羽根の露光作動が終了する前に、後羽根用電磁石に対する通電が断たれるのが普通であって、その場合には、二つのスリット形成羽根３１，３７によって形成されるスリットにより、撮像面が連続的に露光されていくことになる。そして、図１は、そのようにして露光作動が終了した直後の状態を示したものでもある。
【００４１】
このような露光作動が終了して、被写体の画像情報が記憶装置に転送されると、その転送終了信号によってモータ２２が正方向へ回転される。即ち、作動説明の冒頭で述べたように、電源をオンし、初期位置スイッチをオン状態にしてから所定時間後に、モータ２２が正方向へ回転させられたときと同じ作動が行なわれるわけである。その結果、セット部材１８は、図３に示した位置で停止され、再び被写体を観察することが可能となる。従って、次の撮影が行なわれた場合には、これまで説明したようにして露光作動が行なわれる。しかし、もはや、撮影はしないし、モニター（電子ビューファインダ）も使用しないというときには、電力の消耗を避けるために、電源をオフすることになる。
【００４２】
図６には、そのように電源をオフにした時点が示されているが、その後も所定の時間だけモータ２２に電流が供給されるようになっている。従って、図６には、その場合におけるモータ２２の回転方向を破線で示し、セット部材１８と後羽根の作動を破線の矢印で示してある。即ち、電源をオフにすると、モータ２２は逆方向へ回転させられ、セット部材１８が、図３の状態から時計方向へ回転させられ、図１の初期位置へ復帰させられる。そのため、後羽根用駆動部材１５は、その被押動部１５ａからセット部材１８の押動部１８ａが離れていこうとするのに伴い、後羽根用駆動ばね１６（図２）の付勢力によって反時計方向へ回転していく。従って、後羽根の４枚の羽根３４〜３７も、駆動ピン１５ｂによって作動され、開口部１ａを閉じて図１の状態に復帰する。
【００４３】
尚、上記においては、セット部材１８を、セット位置から初期位置へ復帰させるとき、セット部材１８を時計方向へ回転させている。しかし、二つの駆動部材１３，１５とセット部材１８との形状を変えることによって、反時計方向へ回転させるようにすることも可能である。但し、そのようにしたとしても、電源をオフし、途中停止位置から初期位置へ復帰させる場合には、時計方向へ回転させる方が有利であることは言うまでもない。また、上記においては、接片部材２０，２１を、歯車１９に取り付けているが、それらをセット部材１８の背面側に取り付け、プリント配線板６をそれらと対向する位置でシャッタ地板１に取り付けても構わない。また、このような機械的なセンサに代えて、周知の光学的なセンサや磁気的なセンサを採用しても差し支えない。
【００４４】
次に、図７を用いて、上記のフォーカルプレンシャッタをカメラに組み込んだときの配置例を説明するが、この図７は、カメラを底面から視たものである。カメラボデイ４１の前面に撮影レンズ４２を取り付けており、その撮影レンズ４２の左側（カメラを構えたときの右手側）にはグリップ部４１ａを形成している。また、カメラボデイ４１の中には、撮影レンズ４２の背後に、ミラーボックス４３，シャッタユニット４４，固体撮像装置４５の順で配置され、シャッタユニット４４のシャッタ制御部４４ａとミラーボックス４３との間には絞り制御ユニットが４６が配置され、グリップ部４１ａの内部には、シャッタユニット４４のモータ取付部４４ｂの前面に、電池室４７が配置されている。
【００４５】
この図７からも分かるように、このカメラは、右手によってカメラボデイ４１を確実に把持できるようにするために、カメラボデイ４１の左側にグリップ部４１ａを設けていて、その内部に電池室４７を構成しているが、このような外観デザインのカメラに対しても、上記の実施例のシャッタユニット４４は、モータ取付部４４ｂが電池室４７の背部となるようにしたことによって、好適に配置することが可能となっている。仮に、モータ取付部４４ｂがシャッタ制御部４４ａの前部となるように構成した場合には、このような外観デザインを採用するカメラには適用することができなくなるし、また、モータ取付部４４ｂと電池室４７の配置位置を相互に変えたような構成にしてしまうと、そのような構成にしたシャッタユニットは、汎用性を全く失うことになってしまう。
【００４６】
また、シャッタユニット４４が実施例のように構成されていると、グリップ部４１ａをカメラボデイ４１の前面に膨出させず、カメラボデイ４１の外観デザインを略立方体にしたいときには、電池室４７を、図７においてミラーボックス４３の右側に設ければよいことになる。更に、グリップ部４１ａを、カメラボデイ４１の背面側にだけ突き出すように構成したいときには、電池室４７を、モータ取付部４４ｂの背部に配置してもよいし、上記したようにミラーボックス４３の右側に配置してもよいことになる。このようにして、上記の実施例のシャッタユニット４４の場合は、種々の外観デザインのデジタルカメラに対応することが可能である。
【００４７】
また、上記の実施例の場合は、図２に示すように、モータ２２の一部が補助地板３側に張り出していて、電池室４７の所望のスペースを確保するようにしているが、その張り出し量Ａを、予め、補助地板３の、羽根室側とは反対側の面までの範囲にしておくと、カメラの設計の自由度を余り拘束しないで済むようになる。また、上記においては、グリップ部４１ａには電池室４７が配置されるということで説明したが、電池室４７のほかに種々の電気部品が配置されていても構わないし、電池室４７が配置されておらず、記憶媒体等の種々の電気部品だけが配置されていても構わないことは言うまでもない。
【００４８】
尚、実施例においては、モータ２２を、シャッタ地板１に対し、被写体側で取り付けているが、本発明は、実施例とは反対側で取り付けても構わない。また、補助地板３を所定の強度が得られるようにした場合は、モータ２２を、シャッタ地板１に対してと同様に、補助地板３に対して取り付けても構わない。更に、上記のシャッタユニット４４の場合は、駆動部材１３，１５を含むシャッタ制御部４４ａと、モータ取付部４４ｂとが、被写体側を向くようにしてカメラ内に配置されているが、両者が撮影者側を向くようにしても差し支えない。
【００４９】
また、上記の実施例は、先羽根と後羽根を有しているため、駆動部材を二つ設け、セット時には、それらを一つのセット部材と一つのモータで作動させているが、本発明はそのような構成に限定されず、二つのセット部材と一つのモータで作動させるようにしても、二つのセット部材を別々のモータで作動させるようにしても差し支えない。但し、実施例とは異なり、シャッタ羽根を一つしか備えない場合、即ち、駆動部材を一つしか備えないシャッタの場合には、セット部材とモータが一つずつであることはいうまでもない。更に、カメラ用フォーカルプレンシャッタには、露光作動開始直前の状態において、先羽根用駆動部材と後羽根用駆動部材とを露光作動開始位置に保持する機構として、ダイレクトタイプと称されているものと係止タイプと称されているものとが知られている。そして、上記の実施例は、ダイレクトタイプのシャッタとして構成したものであるが、本発明は、そのようなダイレクトタイプのものに限定されず、係止タイプのものにも適用することが可能である。
【００５０】
【発明の効果】
以上のように、本発明は、撮影時において、駆動ばねの付勢力によって開閉手段を作動させる駆動手段が、セット時においてはモータによって、駆動ばねの付勢力に抗して作動されるようにしたフォーカルプレンシャッタにおいて、そのモータを、駆動手段を間にした露光開口の反対側で、その回転軸の長さ方向がシャッタ羽根による露光開口の開閉方向と略平行になるようにして、シャッタユニットに取り付けるようにしたので、外観デザインの異なる種々のデジタルカメラに対して、優れた汎用性を有している。
【図面の簡単な説明】
【図１】被写体側、即ち撮影レンズ側から視て左側の一部を示した実施例の平面図であって、電源オフ状態又は露光作動終了直後の状態を示したものである。
【図２】図１の下方から視た底面図である。
【図３】図１と同様にして視た実施例の平面図であって、図１の状態から後羽根のみがセットされ、モニターでの観察を可能にした状態を示したものである。
【図４】図１と同様にして視た実施例の平面図であって、図３の状態でカメラのレリーズが行なわれた後、先羽根がセット位置に作動し終わった状態を示したものである。
【図５】図１と同様にして視た実施例の平面図であって、図４の状態からセット部材が初期位置へ戻った状態、即ち露光作動開始直前の状態を示したものである。
【図６】実施例の作動を理解し易くするように示したタイミングチャートである。
【図７】実施例のシャッタがカメラに組み込まれたとき底面側から視た配置例の説明図である。
【符号の説明】
１                      シャッタ地板
１ａ                    開口部
１ｂ，１ｃ              長孔
１ｄ，１ｅ，１ｆ，１ｇ，１ｈ，１ｉ，１ｊ，１ｋ  軸
１ｍ                    折曲部
２                      中間板
３                      補助地板
４，５                  緩衝部材
６，１０                プリント配線板
６ａ，６ｂ，６ｃ，６ｄ  銅箔パターン
７                      支持板
８，９                  鉄芯
１１，１２，２０，２１  接片部材
１３                    先羽根用駆動部材
１３ａ，１５ａ          被押動部
１３ｂ，１５ｂ          駆動ピン
１３ｃ，１５ｃ          取付部
１３ｄ，１８ａ，１８ｂ  押動部
１４，１７              鉄片部材
１５                    後羽根用駆動部材
１６                    後羽根用駆動ばね
１８                    セット部材
１８ｃ                  歯車部
１９                    歯車
２２                    モータ
２２ａ                  ウォーム
２３，２４              ビス
２５，２６，３２，３３  アーム
２７，２８，２９，３０，３１，３４，３５，３６，３７  羽根
４１                    カメラボデイ
４１ａ                  グリップ部
４２                    撮影レンズ
４３                    ミラーボックス
４４                    シャッタユニット
４４ａ                  シャッタ制御部
４４ｂ                  モータ取付部
４５                    固体撮像装置
４６                    絞り制御ユニット
４７                    電池室
【図１】
0004533526.tif 000002
【図２】
0004533526.tif 000003
【図３】
0004533526.tif 000004
【図４】
0004533526.tif 000005
【図５】
0004533526.tif 000006
【図６】
0004533526.tif 000007
【図７】
0004533526.tif 000008